(57)【要約】      （修正有）【課題】１台の送風機で２方向の噴霧をサポートするように効率よく送風し、噴霧性能を向上させるようにする。【解決手段】多頭口静電噴霧装置は、機体の左右方向へそれぞれ噴霧する一対の静電噴霧部５，５を備えている。そして、遠心ファンロータ１６の上下方向に延びる軸１１を挟んだ前後両側に、該遠心ファンロータ１６の回転方向へ向けて設けられた一対の吹出口１５ｂ，１５ｂを有する遠心送風機を備えている。一対の静電噴霧部５，５は、それぞれ一対の吹出口１５ｂ，１５ｂの送風方向と略平行に噴霧するように配設されている。【選択図】図３
2014193434.tif 000002
【特許請求の範囲】
【請求項１】
機体の左右方向へそれぞれ噴霧する一対の噴霧部を備えた多頭口噴霧装置であって、
遠心ファンロータの上下方向に延びる軸を挟んだ前後両側に、該遠心ファンロータの回転方向へ向けて設けられた一対の吹出口を有する遠心送風機を備え、
前記一対の噴霧部は、それぞれ前記一対の吹出口の送風方向と略平行に噴霧するように配設されている多頭口噴霧装置。
【請求項２】
前記吹出口に送風方向を調節するための風向調節手段が設けられた請求項１記載の多頭口噴霧装置。
【請求項３】
前記噴霧部には、噴霧方向を調節するための噴霧方向調節手段が設けられており、
前記風向調節手段による送風方向の調節と、前記噴霧方向調節手段による噴霧方向の調節とを連動させる連動機構が設けられた請求項１又は２記載の多頭口噴霧装置。
【請求項４】
前記一対の噴霧部及び前記遠心送風機の組を複数組備え、
前記軸は、該複数組に共有されている請求項１〜３のいずれか一項に記載の多頭口噴霧装置。
【発明の詳細な説明】
【技術分野】
【０００１】
本発明は、噴霧と平行に送風することにより噴霧の付着効率を向上させるようにした多頭口噴霧装置に関するものである。
【背景技術】
【０００２】
背景技術としては、噴霧と平行に送風するように構成された、特許文献１記載の静電噴霧装置を例示する。この静電噴霧装置は、図７に示すように、液体を無数の液滴Ｄにして噴出する噴霧ノズル１２５と、液滴Ｄの拡散範囲の外側に近接するように配設された環状電極１２６と、絶縁性材料からなり、噴霧ノズル１２５に対して環状電極１２６を支持する電極ホルダ１２７とを備え、前記液体及び環状電極１２６の間に印加される高電圧により液滴Ｄを帯電させるように構成されており、液滴Ｄの拡散範囲の外側に近接するように、噴霧ノズル１２５の液滴噴出方向と略平行に圧縮エアＡを放出するエアノズル１３２を備えている。
【０００３】
この構成では、エアノズル１３２から吹き出される圧縮エアＡにより、液滴Ｄが噴霧方向以外へ飛散することを防止し、電極ホルダ１２７へ液滴Ｄが付着することを防止するようにしている。また、エアノズル１３２から放出される圧縮エアＡは、液滴Ｄを噴霧方向へ加速し、液滴Ｄの到達距離と、液滴Ｄの作物間への貫通力を増大させるようにも作用する。
【先行技術文献】
【特許文献】
【０００４】
【特許文献１】特開２００６ー２１１４８号公報
【発明の概要】
【発明が解決しようとする課題】
【０００５】
ところが、特許文献１では、電極ホルダ１２７に対して、圧縮エアＡの流路とエアノズル１３２を一体的に設けているため、前記流路及びエアノズル１３２の形状や大きさが電極ホルダ１２７の形状や大きさに制限されてしまう。このため、前記流路等の構造が複雑化したり、前記流路等が狭くなったりするので、送風効率が悪くなるという課題がある。
【課題を解決するための手段】
【０００６】
前記課題を解決するために、本発明の多頭口噴霧装置は、
機体の左右方向へそれぞれ噴霧する一対の噴霧部を備えた多頭口噴霧装置であって、
遠心ファンロータの上下方向に延びる軸を挟んだ前後両側に、該遠心ファンロータの回転方向へ向けて設けられた一対の吹出口を有する遠心送風機を備え、
前記一対の噴霧部は、それぞれ前記一対の吹出口の送風方向と略平行に噴霧するように配設されている。
【０００７】
この構成によれば、前記遠心ファンロータの軸を挟んだ前後両側に前記吹出口を設けた前記遠心送風機を備えているので、該遠心送風機が１台で左右一対の前記噴霧部について送風することができる。また、遠心ファンロータはその外周から回転方向へ吹出気流が生ずるが、その吹出気流の向きに合わせて前記吹出口を設けているので、前記遠心ファンロータの径方向に向けて吹出口を設ける場合に必要となる風向の変更手段を省くことができる。このため、前記遠心送風機をコンパクトかつ軽量に構成できるとともに、効率よく送風できる。
また、このように前記遠心送風機をコンパクトに構成できるので、前記一対の噴霧部の左右方向における互いの配設間隔を狭くすることができる。これにより、前記噴霧部の噴口から噴霧対象までの間隔を広く確保でき、噴霧を十分に拡散させることができるので、（ａ）噴霧ムラの発生を低減させたり、（ｂ）上下方向における前記噴霧部同士の間隔を広く設定でき噴霧効率を向上させたりでき、噴霧性能を向上させることができる。
【０００８】
また、前記多頭口噴霧装置においては、
前記吹出口に送風方向を調節するための風向調節手段が設けられた態様を例示する。
【０００９】
この構成によれば、噴霧方向、噴霧対象、噴霧環境等に応じて適宜風向を調節することができる
【００１０】
また、前記多頭口噴霧装置においては、
前記噴霧部には、噴霧方向を調節するための噴霧方向調節手段が設けられており、
前記風向調節手段による送風方向の調節と、前記噴霧方向調節手段による噴霧方向の調節とを連動させる連動機構が設けられた態様を例示する。
【００１１】
この構成によれば、噴霧方向及び送風方向をそれぞれ調節する手間を低減することができる。
【００１２】
また、前記多頭口噴霧装置においては、
前記一対の噴霧部及び前記遠心送風機の組を複数組備え、
前記軸は、該複数組に共有されている態様を例示する。
【００１３】
この構成によれば、前記軸が前記複数組に共有されているので、該複数組の遠心送風機を単一の駆動源で駆動することにより、効率よく駆動することができる。
【発明の効果】
【００１４】
本発明に係る多頭口噴霧装置によれば、１台の送風機で２方向の噴霧をサポートするように効率よく送風できるとともに、噴霧性能を向上させることができるという優れた効果を奏する。
【図面の簡単な説明】
【００１５】
【図１】本発明を具体化した第一実施形態に係る多頭口噴霧装置としての誘導帯電型多頭口静電噴霧装置の正面図である。
【図２】同多頭口静電噴霧装置の右側面図である。
【図３】同多頭口静電噴霧装置の一対の静電噴霧部と、遠心送風機との組の平面図である。
【図４】同遠心送風機を示す図であり、（ａ）は右側面図、（ｂ）は（ａ）のｂ−ｂ線断面図である。
【図５】本発明を具体化した第二実施形態に係る多頭口噴霧装置としての誘導帯電型多頭口静電噴霧装置の要部を示す正面拡大図である。
【図６】同要部の平断面図である。
【図７】背景技術としての静電噴霧装置の静電噴霧部を示す断面図である。
【発明を実施するための形態】
【００１６】
図１〜図４は本発明を具体化した第一実施形態の多頭口噴霧装置としての誘導帯電型多頭口静電噴霧装置１を示しており、各図において、矢印Ｆは機体前方を指し示している。本発明の静電噴霧装置１は、図１及び図２に示すように、畝間を走行する走行台車３を備えている。走行台車３の前側には、上下方向に延びる前フレーム部４が配設されており、該前フレーム部４には、走行台車３の左右方向へそれぞれ噴霧する一対の静電噴霧部５，５と、遠心送風機６との組が、上下方向に互いに略等間隔をおいて５組列設されている。
【００１７】
走行台車３は、走行フレームに駆動車輪２を４輪備えた構成となっている。この走行台車３には、各静電噴霧部５に対して高電圧を供給するための高電圧供給部７のほかに、駆動車輪２を駆動する車輪駆動手段、電源としてのバッテリー（いずれも図示略）等が搭載されている。また、走行台車３は、畝替わりなどを手動で移動させるようになっており、その手動で操作させるため、ハンドル８が設けられている。
【００１８】
前フレーム部４には、上下方向に延びる左右一対の噴管１０，１０が配設されており、各噴管１０には加圧された薬液がホース（図示略）を介して供給されるようになっている。左右一対の静電噴霧部５，５のうち、左側へ噴霧するものは左側の該噴管１０に接続され、右側へ噴霧するものは右側の該噴管１０に接続されている。噴管１０は、その一部が導電性材料からなるとともにアースされており、これにより前記薬液がアースされるようになっている。前記薬液をアースする態様としては、これに限定されず、該薬液に接する他の導電性部位（後述するノズル部や、導電性材料で形成された、該薬液の収容タンク等）や該薬液中に浸けられた電極等をアースすることによる態様を例示する。
【００１９】
５組の遠心送風機６は、図３及び図４に示すように、互いに共有する１本の上下方向に延びる軸１１により駆動されるように構成されている。軸１１は、上部及び下部が前フレーム部４の上部及び下部にそれぞれ回転自在に支持されるとともに、前フレーム部４の下部に設けられた電動モータ１２の軸に連結されている。
【００２０】
遠心送風機６は、軸１１を介して回転自在に支持された遠心ファンロータ１６をファンケーシング１５内に収容してなっている。ファンケーシング１５は、上壁における軸１１の周囲に設けられた吸込口１５ａと、軸１１を挟んだ前後両側に、該遠心ファンロータ１６の回転方向へ向けて設けられた一対の吹出口１５ｂ，１５ｂとを備えている。遠心ファンロータ１６は、軸１１の周囲の円周上に所定間隔で列設された多数の羽根１６ａと、該各羽根１６ａの基端側を支持する円形の主板１６ｂを備えている。そして、この遠心送風機６は、吸込口１５ａからの吸い込んだ空気を遠心ファンロータ１６の全周から吹き出したのち各吹出口１５ｂから二方向へそれぞれ吹き出すように構成されている。
【００２１】
一対の静電噴霧部５，５は、同一構成であり、それぞれ一対の吹出口１５ｂ，１５ｂの送風方向と略平行に噴霧するように配設されている。具体的には、各静電噴霧部５は、対応する吹出口１５ｂの上方に配設されており、これにより、静電噴霧部５からの噴霧Ｓが吹出口１５ｂからの吹出気流Ｂにより下側からサポートされるようにしている。
【００２２】
静電噴霧部５は、基端部側から噴管１０を通じて供給される薬液を先端部から液滴にして噴出するノズル部２１と、前記液滴の拡散範囲の外周に内周が近接するように配設された略環状の電極２２と、ノズル部２１の基端側に対して電極２２を支持する電極ホルダ２３とを備え、前記液体及び電極２２の間に印加される高電圧により前記液滴を誘導帯電させるように構成されている。また、静電噴霧部５には、前後方向に延びる軸と上下方向に延びる軸を中心に噴霧方向を調節するための噴霧方向調節手段２４が設けられている。
【００２３】
以上のように構成された本例の誘導帯電型多頭口静電噴霧装置１によれば、遠心ファンロータ１６の軸１１を挟んだ前後両側に吹出口１５ｂ，１５ｂを設けた遠心送風機６を備えているので、該遠心送風機６が１台で左右一対の静電噴霧部５，５について送風することができる。また、遠心ファンロータ１６はその外周から回転方向へ吹出気流Ｂが生ずるが、その吹出気流Ｂの向きに合わせて吹出口１５ｂを設けているので、遠心ファンロータ１６の径方向に向けて吹出口１５ｂを設ける場合に必要となる風向の変更手段を省くことができる。このため、遠心送風機６をコンパクトかつ軽量に構成できるとともに、効率よく送風できる。
また、このように遠心送風機６をコンパクトに構成できるので、一対の静電噴霧部５，５の左右方向における互いの配設間隔を狭くすることができる。これにより、静電噴霧部５の噴口から噴霧対象までの間隔を広く確保でき、噴霧Ｓを十分に拡散させることができるので、（ａ）噴霧ムラの発生を低減させたり、（ｂ）上下方向における静電噴霧部５同士の間隔を広く設定でき噴霧効率を向上させたりでき、噴霧性能を向上させることができる。
特に、本例のように静電帯電した噴霧Ｓを用いる場合は、静電効果を向上させるために粒子径の小さい噴霧Ｓにすることが好ましいが、小さい粒子径の噴霧Ｓは質量が小さいため繁茂した作物内部には届き難いという課題がある。本例によれば、遠心送風機６からの吹出気流Ｂにより、噴霧Ｓの貫通力を増すことができ、繁茂した作物内部に対してもムラのない噴霧付着を期待することができる。
【００２４】
また、一対の静電噴霧部５，５及び遠心送風機６の組を複数組備えるとともに、遠心送風機６の軸１１は、該複数組に共有されているので、該複数組の遠心送風機６を単一の駆動源で駆動することができ、効率よく駆動することができる。
【００２５】
次に、図５及び図６は本発明を具体化した第二実施形態の多頭口噴霧装置としての誘導帯電型多頭口静電噴霧装置１を示している。この装置は、以下に示す点において、主に第一実施形態と相違している。従って、同実施形態と共通する部分については、同一符号を付することにより重複説明を省く。
【００２６】
（１）本例の静電噴霧装置１では、第一実施形態とは異なり、図５に示すように、吹出口１５ｂの正面に対応する静電噴霧部５が配設されている。
【００２７】
（２）本例の遠心送風機６には、一対の吹出口１５ｂ，１５ｂに対し、前後方向に延びる軸３１ａを中心に送風方向を上下に調節するための風向調節手段３１がそれぞれ設けられている。本例の風向調節手段３１は、吹出口１５ｂの上下に、それぞれ軸３１ａを介して上下回動自在に支持された一対の風向ガイド板３１ｂと、両風向ガイド板３１ｂの上下回動を連動させるように両風向ガイド板３１ｂの先端側を連結するリンク３１ｃとにより構成されている。この構成によれば、噴霧方向、噴霧対象、噴霧環境等に応じて適宜風向を調節することができる。
【００２８】
（３）本例の静電噴霧部５には、前後方向に延びる軸２４ａを中心に噴霧方向を上下に調節するための噴霧方向調節手段２４が設けられているとともに、風向調節手段３１による送風方向の調節と、噴霧方向調節手段２４による噴霧方向の調節とを連動させる連動機構３２が設けられている。本例の連動機構３２は、平行リンク機構によって軸２４ａと軸３１ａが連動するように構成している。この構成によれば、噴霧方向及び送風方向をそれぞれ調節する手間を低減することができる。
【００２９】
本例の誘導帯電型多頭口静電噴霧装置によれば、第一実施形態と同様の効果に加え、前記本例特有の効果を得ることができる。
【００３０】
なお、本発明は前記実施形態に限定されるものではなく、例えば以下のように、発明の趣旨から逸脱しない範囲で適宜変更して具体化することもできる。
（２）一対の静電噴霧部５，５の組数を適宜変更すること。
（３）走行台車を人力で走行させる手押し式に構成すること。
【符号の説明】
【００３１】
１    静電噴霧装置
２    駆動車輪
３    走行台車
４    前フレーム部
５    静電噴霧部
６    遠心送風機
７    高電圧供給部
８    ハンドル
１０    噴管
１１    軸
１２    電動モータ
１５    ファンケーシング
１５ａ  吸込口
１５ｂ  吹出口
１６    遠心ファンロータ
１６ａ  羽根
１６ｂ  主板
２１    ノズル部
２２    電極
２３    電極ホルダ
２４    噴霧方向調節手段
２４ａ  軸
３１    風向調節手段
３１ａ  軸
３１ｂ  風向ガイド板
３１ｃ  リンク
３２    連動機構
Ｂ    吹出気流
Ｓ    噴霧
Ｆ    機体前方
【図１】
2014193434.tif 000003
【図２】
2014193434.tif 000004
【図３】
2014193434.tif 000005
【図４】
2014193434.tif 000006
【図５】
2014193434.tif 000007
【図６】
2014193434.tif 000008
【図７】
2014193434.tif 000009